(57)【要約】【課題】携帯型鉄道用ワイヤレス操作装置における押しボタンスイッチの操作性および耐久性を良くすることを可能とする。【解決手段】携帯型鉄道用ワイヤレス操作装置の押しボタンスイッチにおいて、基板上に、上面にステムを有するタクトスイッチを設け、タクトスイッチを覆うスイッチガードの上面にサラ型バネガイド凹部を形成し、その凹部にサラ型バネを載置し、その上から、下部突起を有するゴム製スイッチカバーを被せたことを特徴とする。非常用押しボタンスイッチにおいては、サラ型バネを２枚載置する。【選択図】図１
2016030506.tif 000002
【特許請求の範囲】
【請求項１】
携帯型鉄道用ワイヤレス操作装置の押しボタンスイッチにおいて、
基板上に、上面にステムを有するタクトスイッチを設け、
タクトスイッチを覆うスイッチガードの上面にサラ型バネガイド凹部を形成し、
その凹部にサラ型バネを載置し、
その上から、下部突起を有するゴム製スイッチカバーを被せたこと
を特徴とする携帯型鉄道用ワイヤレス操作装置。
【請求項２】
携帯型鉄道用ワイヤレス操作装置の非常用押しボタンスイッチにおいて、
基板上に、上面にステムを有するタクトスイッチを設け、
タクトスイッチを覆うスイッチガードの上面にサラ型バネガイド凹部を形成し、
その凹部にサラ型バネを２枚載置し、
その上から、下部突起を有するゴム製スイッチカバーを被せたこと
を特徴とする携帯型鉄道用ワイヤレス操作装置。
【発明の詳細な説明】
【技術分野】
【０００１】
本発明は、駅ホームでの電車の入出線時や扉開閉時等において、各種案内放送を行うワイヤレスマイクロホンと、車掌に扉開閉の指示を行う戸閉合図表示器を制御する携帯型鉄道用ワイヤレス操作装置の改良に関するものである。
【背景技術】
【０００２】
従来より、駅ホームでの電車の入出線時や扉開閉時等において、ホームの乗客の安全を図るためにワイヤレスマイクロホンによる各種案内放送が行われている。
また、扉開閉時においては扉付近の乗客の状況が車掌では十分に把握できないため、駅係員がホームの柱に固定設置された戸閉合図操作器を操作することにより、ホームの天井より吊下げられた戸閉合図表示器に予め決められた表示パターンおよび表示色で、閉扉合図，閉扉確認合図，再開扉合図および非常停止合図等の戸閉合図を表示させている。そして、車掌はこれを確認することにより扉開閉操作や電車の発車・停止操作を行っている。
【０００３】
しかし、従来の方法において、ホームの天井より吊下げられた戸閉合図表示器に戸閉合図を表示させるためには、ホームの柱に固定設置された戸閉合図操作器を操作する必要がある。しかし、朝夕のラッシュ時などホームが乗客で混み合っている状態では、乗客の安全を確認するために戸閉合図操作器のある場所から離れて確認をしなければならない。
そして安全を確認後、再び戸閉合図操作器のある場所に戻り戸閉合図操作器を操作することになるが、この間にかけ込み乗車や非常事態が発生する可能性もあり、乗客の安全を十分に確認することができないという問題がある。
【０００４】
また、ホーム自体が湾曲しているような駅ホームにおいても、乗客の安全を確認するためには戸閉合図操作器のある場所から離れなければならない。このため、前述のように戸閉合図操作器のある場所に戻る間の乗客の安全を十分に確認することができないという問題がある。
【０００５】
このような問題を解決するために、朝夕のラッシュ時などホームが乗客で混み合っている状態や、ホーム自体が湾曲しているような駅ホームにおいて、駅係員がホームの柱に固定設置された戸閉合図操作器のある場所に戻ることなく、戸閉合図表示器に戸閉合図を表示させることができる戸閉合図操作を指示する携帯型鉄道用ワイヤレス操作装置が提供されている。
【０００６】
前記携帯型鉄道用ワイヤレス操作装置は、図４に示すように、携帯型であり、ワイヤレスマイクロホン機能のほかに、通常使用する出発合図等に関わる「閉扉」、「確認」、「再開閉」、「復帰」の各種押しボタンスイッチと、「非常」用の押しボタンスイッチとからなる。
【０００７】
前記各種の押しボタンスイッチは、図３に示すように、基板１上に、上面にステム２を有するタクトスイッチ３を設け、タクトスイッチ３を覆うスイッチガード４と、スイッチガード４の全体を覆い、下部突起５を有するゴム製のスイッチカバー６とからなる。
【先行技術文献】
【特許文献】
【０００８】
【特許文献１】特開平１０−１６７０５７号公報
【発明の概要】
【発明が解決しようとする課題】
【０００９】
解決しようとする問題点は、前記携帯型鉄道用ワイヤレス操作装置の押しボタンスイッチは、押しボタンスイッチの保護用にゴム製のスイッチカバー６を使用しているために、経年使用によりゴム製スイッチカバー６の戻りが悪くなる点である。
【課題を解決するための手段】
【００１０】
本発明は、押しボタンスイッチ保護用のゴム製スイッチカバー６の戻りを良くするため、ゴム製スイッチカバー６の下部突起５とスイッチ３との間にサラ型バネを設けたことを最も主要な特徴とする。
【発明の効果】
【００１１】
本発明に係る携帯型鉄道用ワイヤレス操作装置の押しボタンスイッチは、ゴム製スイッチカバー６とスイッチとの間にサラ型バネを設けたことによりゴム製スイッチカバーの戻りが良くなるために、押しボタンスイッチの操作性が向上するという利点がある。
さらに、携帯型鉄道用ワイヤレス操作装置の「非常」用押しボタンスイッチには、サラ型バネを２枚以上設けることにより、誤操作防止が可能になるという利点がある。
【図面の簡単な説明】
【００１２】
【図１】図１は、本発明の押しボタンスイッチの断面図である。（実施例１）
【図２】図２は、本発明の押しボタンスイッチの分解図である。（実施例１）
【図３】図３は、従来例の押しボタンスイッチを示した断面図である。（従来例）
【図４】図４は、携帯型鉄道用ワイヤレス操作装置の外観図である。
【発明を実施するための形態】
【００１３】
携帯型鉄道用ワイヤレス操作装置における押しボタンスイッチのゴム製スイッチカバー６の戻りが悪くなる点を改良するという目的を、ゴム製スイッチカバー６とスイッチとの間にサラ型バネを設けることにより、最小の部品点数で、従来の携帯型鉄道用ワイヤレス操作装置を改良することを実現した。
【実施例１】
【００１４】
図１は、本発明装置の１実施例の断面図であって、１〜６は、図３と同様である。
基板１上に、上面にステム２を有するタクトスイッチ３を設け、タクトスイッチ３を覆うスイッチガード４の上面にサラ型バネガイド凹部７を形成し、そのサラ型バネガイド凹部７にサラ型バネ８を載置して、その上から、下部突起５を有するゴム製スイッチカバー６を被せる。
すなわち、タクトスイッチ３の上面のステム２と、ゴム製スイッチカバー６の下部突起５との間に、サラ型バネ８を設ける。
その分解図を図２に示す。
この実施例１において、押しボタンスイッチのゴム製スイッチカバー６を指で押すと、ゴム製スイッチカバー６の下部突起５がサラ型バネ８を押し下げ、タクトスイッチ３上面のステム２に接触し、スイッチが入力される。
そして、その入力が無線出力され、戸閉合図操作装置系に送られ、各種スイッチの種類に応じた操作が行われる。
その後、ゴム製スイッチカバー６から指を外すと、サラ型バネ８が上に戻り、ゴム製スイッチカバー６の下部突起５を押し上げ、ゴム製スイッチカバー６の戻りが良くなる。
すなわち、携帯型鉄道用ワイヤレス操作装置における押しボタンスイッチの操作性向上が計られる。
【００１５】
本発明の主体はスイッチ系の実装方法にあるので、戸閉合図操作装置系の全体については、先行特許文献１と同じなので、その説明は省略する。
【実施例２】
【００１６】
実施例２は、携帯型鉄道用ワイヤレス操作装置の「非常」用押しボタンスイッチにおいて、実施例１のタクトスイッチ３を覆うスイッチガード４の上面のサラ型バネガイド凹部７に、サラ型バネ８を２枚設けた例である。
実施例２の「非常」用押しボタンスイッチにおいては、サラ型バネ８が２枚有るために、不用意に「非常」用押しボタンスイッチに触れても、スイッチが入力されることが無いので、誤動作防止に役に立つ。
なお、実施例２は、サラ型バネ８が２枚有るだけなので、その図面は、省略する。
この「非常」用押しボタンスイッチは、誤操作防止機能を備えることにより、鉄道用ワイヤレス操作装置の安全性がより一層向上する。
【産業上の利用可能性】
【００１７】
筺体にタクトスイッチを取付け、その上にゴム製スイッチカバーを設けた有線・無線の各種の押しボタンスイッチにおいて、その間にサラ型バネを設けることによって、押しボタンスイッチの操作性向上と誤動作防止に役に立つので、各種用途の押しボタンスイッチにおいても適用できる。
【符号の説明】
【００１８】
１    基板
２    ステム
３    タクトスイッチ
４    スイッチガード
５    下部突起
６    ゴム製スイッチカバー
７    サラ型バネガイド凹部
８    サラ型バネ
【図１】
2016030506.tif 000003
【図２】
2016030506.tif 000004
【図３】
2016030506.tif 000005
【図４】
2016030506.tif 000006